(57)【要約】【課題】監視対象で故障等のアラームイベントが発生した際、その発生時刻によって、アラームレベルを変えて表示するようにし、不要なアラームイベントを抑止しつつ、全てのアラームイベントを記録しておくことができる監視制御システムを得る。【解決手段】ＨＭＩ１１は、監視対象１３で発生するアラームイベントについて、イベント名称とアラームレベルとを含むリスト形式のイベントリスト画面を表示するイベントリスト表示手段１６と、時間帯に対応するようにアラームレベルを設定したアラームレベルテーブルを格納した記憶手段１７を有し、イベントリスト表示手段１６は、監視対象１３でアラームイベントが発生した時には、アラームレベルテーブルに基づき、アラームイベント発生時刻が含まれる時間帯に対応したアラームレベルを決定し、イベントリスト画面に表示するようにした。【選択図】図１
2008097346.tif 000002
【特許請求の範囲】
【請求項１】
監視対象で発生したアラームイベントについて、イベント名称とアラームレベルとを含むリスト形式のイベントリスト画面を表示するイベントリスト表示手段、及び上記アラームイベントの発生する時間帯に対応するようにアラームレベルを設定したアラームレベルテーブルを格納した記憶手段を有するヒューマンマシンインタフェースを備え、上記イベントリスト表示手段は、上記監視対象でアラームイベントが発生した時には、上記アラームレベルテーブルに基づき、上記アラームイベント発生時刻が含まれる時間帯に対応したアラームレベルを決定し、上記イベントリスト画面に表示することを特徴とする監視制御システム。
【請求項２】
上記ヒューマンマシンインタフェースは、上記アラームレベルテーブルの内容を変更する編集手段を有することを特徴とする請求項１記載の監視制御システム。
【請求項３】
上記ヒューマンマシンインタフェースは、上記編集手段による上記アラームレベルテーブルの内容変更を、その変更から予め設定された時間経過後に元の状態に復帰させるアラームレベル復帰手段を有することを特徴とする請求項２記載の監視制御システム。
【発明の詳細な説明】
【技術分野】
【０００１】
この発明は、変電所等の監視対象が存在するプラント等に設置され、監視対象で発生する故障等のアラームイベントをＨＭＩ（Ｈｕｍａｎ  Ｍａｃｈｉｎｅ  Ｉｎｔｅｒｆａｃｅ）上に表示する監視制御システムに関するものである。
【背景技術】
【０００２】
従来の監視制御システムにおいては、監視対象で故障等のアラームイベントが発生すると、監視対象がこのアラームイベントをＨＭＩに送信し、ＨＭＩは受信したアラームイベントの名称とイベント発生時刻とをリスト形式で保存するとともに、イベントリスト画面でその内容を確認できるようにしたものが広く使用されている。
また、予めアラームイベントごとにアラームレベルを設定しておき、ＨＭＩがアラームイベントを受信した際、アラームイベントの名称と発生時刻に、設定されたアラームレベルを加えてリスト形式で保存するシステムも広く使用されている。
また、予め決められた、ある時間帯のみ監視対象で発生したイベントをアラームイベントとして扱い、それ以外の時間帯では、アラームイベントを抑止することで、必要なときだけ監視を行うことが可能な監視システムもある。例えば、特許文献１に記載のシステムでは、複数の監視点センサに対し、予め時間帯ごとのマスクデータを用意しておき、監視点センサが動作した際には動作時刻に従ってマスクデータを選び、選んだマスクデータに従って監視点センサの動作をアラームイベントと見なすかどうかを判定することで、各監視点センサが動作した際、ある時間帯のみアラームイベントを発生させるようになっている。
【０００３】
【特許文献１】特開昭６３−５２２９８号公報（第２〜４頁、図１）
【発明の開示】
【発明が解決しようとする課題】
【０００４】
従来の監視制御システムでは、アラームイベントごとに予めアラームレベルを設定しておくため、例えば監視対象プラントのドアが開いたという「ドアオープン」イベントなど、時間帯によって重要度が変わるようなアラームイベントも全ての時間帯で同じアラームレベルとして扱われてしまい、本来不要なアラームイベントが表示されてしまうという問題があった。
また、特許文献１のように、ある時間帯のみ監視対象で発生したイベントをアラームイベントとして扱い、それ以外の時間帯ではアラームイベントを抑止するシステムでは、抑止中はアラームイベント自体が発生しなくなるため、監視対象でアラームが発生する状態になったにも関わらず、そのことが記録に全く残らないという問題があった。
【０００５】
この発明は、上述のような課題を解決するためになされたものであり、監視対象で故障等のアラームイベントが発生した際、その発生時刻によって、アラームレベルを変えて表示するようにし、不要なアラームイベントを抑止しつつ、全てのアラームイベントを記録しておくことができる監視制御システムを得ることを目的にしている。
【課題を解決するための手段】
【０００６】
この発明に係わる監視制御システムにおいては、監視対象で発生したアラームイベントについて、イベント名称とアラームレベルとを含むリスト形式のイベントリスト画面を表示するイベントリスト表示手段、及びアラームイベントの発生する時間帯に対応するようにアラームレベルを設定したアラームレベルテーブルを格納した記憶手段を有するヒューマンマシンインタフェースを備え、イベントリスト表示手段は、監視対象でアラームイベントが発生した時には、アラームレベルテーブルに基づき、アラームイベント発生時刻が含まれる時間帯に対応したアラームレベルを決定し、イベントリスト画面に表示するものである。
【発明の効果】
【０００７】
この発明は、以上説明したように、監視対象で発生したアラームイベントについて、イベント名称とアラームレベルとを含むリスト形式のイベントリスト画面を表示するイベントリスト表示手段、及びアラームイベントの発生する時間帯に対応するようにアラームレベルを設定したアラームレベルテーブルを格納した記憶手段を有するヒューマンマシンインタフェースを備え、イベントリスト表示手段は、監視対象でアラームイベントが発生した時には、アラームレベルテーブルに基づき、アラームイベント発生時刻が含まれる時間帯に対応したアラームレベルを決定し、イベントリスト画面に表示するので、アラームイベントの発生時刻によってアラームレベルを変化させて画面に表示することができる。
【発明を実施するための最良の形態】
【０００８】
実施の形態１．
図１は、この発明の実施の形態１による監視制御システムを示す構成図である。
図１において、ＨＭＩ１１は、内部に時計機能を備えた一般的な計算機で構築され、監視対象１３で発生したアラームイベントの内容を表示する。端末装置１２は、監視対象１３で発生した故障等のアラーム信号を受信するように、監視対象１３とハードワイヤ１５で接続されている。端末装置１２とＨＭＩ１１は、ＬＡＮ１４で接続されている。
ＨＭＩ１１は、イベント名称とアラームレベルとをリスト形式にしたイベントリスト画面（図２参照）を表示するイベントリスト表示手段１６と、時間帯とアラームレベルとを関連付けたアラームレベルテーブル（図３参照）を格納した記憶手段１７とを備えている。
監視対象１３で発生した故障等のアラーム信号は、電気信号として端末装置１２に送信され、端末装置１２でアラームイベントに変換される。アラームイベントは、ＬＡＮ１４上のデータとしてＨＭＩ１１に送信される。ＨＭＩ１１は、アラームイベントを受信すると、後述の手順に従ってイベントメッセージを生成し、図２のイベントリスト画面２１に表示する。
【０００９】
図２は、この発明の実施の形態１による監視制御システムのＨＭＩによって表示されるイベントリスト画面を示す図である。
図２において、イベントリスト画面２１は、イベント発生時刻とイベント名称とアラームレベルと動作（発生と復帰）とを示すように構成されている。
図３は、この発明の実施の形態１による監視制御システムのアラームラベルテーブルを示す図である。
図３において、アラームレベルテーブル３１は、アラームイベントの発生時刻とアラームレベルとを関連付けるように構成され、イベント名称ごとに、注意の時間帯と、警報の時間帯とを示している。図３のアラームレベルテーブルは、ＨＭＩ１１の記憶手段１７内に保持される。
図４は、この発明の実施の形態１による監視制御システムの動作を示すフローチャートである。
【００１０】
次に、図４のフローチャートにしたがって監視制御システムの動作を説明する。イベントリスト表示手段１６の動作である。
ＨＭＩ１１は、ステップ４１で、端末装置１２からのアラームイベントを待つ。アラームイベントを受信すると、ＨＭＩ１１は、ステップ４２で、内部時計を参照し、現在時刻を取得する。
次に、受信したアラームイベントの名称と取得した現在時刻から、ステップ４３で、アラームレベルテーブル３１を用いて、受信したイベントの現在時刻におけるアラームレベルを判断する。アラームレベルテーブル３１には、監視対象で発生し得る全アラームイベントが一行に一つずつ登録されており、各アラームイベントに対して、そのアラームを「注意」レベルとして扱う時間帯と、「警報」レベルとして扱う時間帯が予め設定されている。
ＨＭＩ１１は、アラームイベントを受信すると、まず受信したアラームイベントの名称をアラームレベルテーブル３１から検索し、次に取得した現在時刻と「注意」レベル及び「警報」レベルの時間帯を比較し、現在時刻を含む時間帯が設定された側のアラームレベルを発生したアラームイベントのアラームレベルとして判断する。例えば「ドアオープン」イベントを２０：００に受信した場合には、このイベントのアラームレベルは、「警報」となる。
時間帯の設定は、２４時間制で記述し、「注意」レベルと「警報」レベルで時間帯が重ならず、かつ「注意」レベルと「警報」レベルのどちらにも当てはまらない時間帯が無いようにする。
次に、ステップ４４または４５で、判断したアラームレベル（注意または警報）でイベントメッセージを作成し、これをイベントリスト画面２１に表示する。
【００１１】
このように、実施の形態１によれば、アラームイベント発生時に発生時刻によってアラームレベルを変化させて画面に表示するようにしたので、例えば操作員が現場にいる昼間の時間帯では「ドアオープン」イベントを「注意」レベルとして表示し、操作員が現場にいない夜間では同イベントを「警報」レベルとして表示するといった動作を実現でき、監視対象で発生したアラームを全て記録しながら、かつ、時間帯によっては、特に重要ではなくなるイベントは「注意」レベルで表示することができるようになる。
【００１２】
実施の形態２．
図５は、この発明の実施の形態２による監視制御システムを示す構成図である。
図５において、１１〜１７は図１におけるものと同一のものである。図５では、ＨＭＩ１１に編集手段１８が接続され、アラームレベルテーブル３１の内容を編集することができるようになっている。
実施の形態１では、アラームレベルテーブル３１の内容は、予め設定されていたが、実施の形態２では、アラームレベルテーブル３１の内容を編集するダイアログ等の手段をＨＭＩ１１に設け、アラームレベルテーブル３１の内容を任意のタイミングで変更することができるようにした。
【００１３】
こうすることにより、実施の形態２によれば、例えば通常運用時は、常時「警報」レベルで扱うアラームイベントを、監視対象のメンテナンスを行うときのみ「注意」レベルで扱うといった動作を実現することができる。
すなわち、アラームレベルテーブルの内容を任意のタイミングで変更することができ、監視対象でメンテナンス等を行う時間帯のみ、アラームレベルを変更することができる。
【００１４】
実施の形態３．
図６は、この発明の実施の形態３による監視制御システムを示す構成図である。
図６において、１１〜１８は図５におけるものと同一のものである。図６では、ＨＭＩ１１内に、編集手段１８による内容の変更後、予め設定した時間が経過すると、変更した内容を元の状態に復帰させるアラームレベル復帰手段１９を設けた。
実施の形態２では、アラームレベルテーブル３１の内容を任意のタイミングで変更することができるようにしたが、実施の形態３では、これに加えて、内容の変更後、予め設定した時間が経過すると変更した内容を元の状態に戻すようにするアラームレベル復帰手段１９を設けた。
これは、アラームレベルテーブル３１の内容を変更する際に、変更前の内容をＨＭＩ１１内の記憶手段１７に保存すると共にタイマー処理を起動し、予め設定した時間が経過すると、記憶手段１７上に保存した内容を、アラームレベルテーブル３１に復帰させるようにする。
【００１５】
こうすることにより、実施の形態３によれば、例えば監視対象のメンテナンス作業終了後、アラームレベルテーブルの内容を元に戻し忘れることを防止することができる。
すなわち、監視対象でメンテナンス等を行う時間帯のみアラームレベルを変更した後、メンテナンス等の作業終了後にアラームレベルテーブルの内容を自動的に元に戻すことができる。
【００１６】
なお、上記実施の形態１〜実施の形態３の説明では、アラームレベルは「注意」と「警報」の二つの場合を例に説明したが、これを「レベル１」、「レベル２」というような他の名称にすることや、「レベル３」等を加えて３段階以上にすることも、容易に可能である。
【図面の簡単な説明】
【００１７】
【図１】この発明の実施の形態１による監視制御システムを示す構成図である。
【図２】この発明の実施の形態１による監視制御システムのＨＭＩによって表示されるイベントリストの画面例を示す図である。
【図３】この発明の実施の形態１による監視制御システムのアラームラベルテーブルを示す図である。
【図４】この発明の実施の形態１による監視制御システムの動作を示すフローチャートである。
【図５】この発明の実施の形態２による監視制御システムを示す構成図である。
【図６】この発明の実施の形態３による監視制御システムを示す構成図である。
【符号の説明】
【００１８】
１１  ＨＭＩ、１２  端末装置、１３  監視対象、１４  ＬＡＮ、
１５  ハードワイヤ、１８  編集手段、１９  アラームレベル復帰手段、
２１  イベントリスト画面、３１  アラームレベルテーブル。
【図１】
2008097346.tif 000003
【図２】
2008097346.tif 000004
【図３】
2008097346.tif 000005
【図４】
2008097346.tif 000006
【図５】
2008097346.tif 000007
【図６】
2008097346.tif 000008